(57)【要約】【課題】マーカーを、読影に支障をきたさない所定の位置に容易に設ける。【解決手段】フラットパネル型Ｘ線検出器上の被写体Ｈに対してコリメータからランプ光を照射し、第１のリーフおよび第２のリーフを駆動してその光照射野を拡大縮小し、被写体Ｈに対応して長尺撮影に必要な撮影領域を設定し、フラットパネル型Ｘ線検出器のＸ線検出領域の長さと重複領域を考慮して撮影回数を算出し、重複領域Ａ１、Ａ２を特定する。マーカー設置ボタンの操作に伴って第１のリーフおよび第２のリーフによって決まる直線光の投光位置、すなわち、マーカーの設置位置それぞれを特定し、順に、２つの重複領域Ａ１、Ａ２内に、マーカーの設置位置を指定する直線光Ｌ１、Ｌ２を投光し、その直線光Ｌ１、Ｌ２に基づいて臥位テーブル１の両端側の被写体Ｈに重複しない箇所それぞれに順にマーカー３０を設置できるようにする。【選択図】図３
2008148836.tif 000002
【特許請求の範囲】
【請求項１】
被写体にＸ線を照射するＸ線照射手段と、前記Ｘ線照射手段のＸ線照射口に投光可能に設けられて、前記Ｘ線照射手段のＸ線照射野を調整するコリメータと、立位スタンドまたは臥位テーブルに付設されて被写体を透過したＸ線を検出するＸ線検出手段と、
前記Ｘ線検出手段を前記立位スタンドまたは臥位テーブルに沿って駆動移動するＸ線検出手段駆動装置と、被写体に対して連続する複数の撮影範囲に設定し、各撮影範囲で前記Ｘ線検出手段により検出されたＸ線を処理して分割画像データを収集する分割画像データ収集手段と、前記分割画像データ収集手段で収集された画像データを繋いで長尺画像データを作成する長尺画像データ作成手段とを設けたＸ線撮影装置において、
長尺撮影の全領域に応じた分割撮影範囲どうしの重複領域におけるマーカーの設置位置を指定するマーカー位置指定手段を備えたことを特徴とするＸ線撮影装置。
【請求項２】
請求項１に記載のＸ線撮影装置において、
マーカー位置指定手段が、投光によってマーカーの設置位置を指定するものであるＸ線撮影装置。
【請求項３】
請求項２に記載のＸ線撮影装置において、
マーカー位置指定手段が、Ｘ線検出手段の受光面の前記Ｘ線検出手段の移動方向に直交する方向の両端それぞれに相当する位置で、前記Ｘ線検出手段の移動方向に直交する方向に延びる線状光によってマーカーの設置位置を指定するものであるＸ線撮影装置。
【請求項４】
請求項１に記載のＸ線撮影装置において、
マーカー位置指定手段が、Ｘ線検出手段の受光面の前記Ｘ線検出手段の移動方向に直交する方向の両端それぞれに相当する位置で、発光によってマーカーの設置位置を指定するものであるＸ線撮影装置。
【発明の詳細な説明】
【技術分野】
【０００１】
この発明は、Ｘ線撮影装置によって全脊椎撮影や全下肢撮影のような長尺撮影を行うために、被写体にＸ線を照射するＸ線管などのＸ線照射手段によりＸ線を照射し、その被写体を透過したＸ線を、立位スタンドまたは臥位テーブルなどに付設されたフラットパネル型Ｘ線検出器などのＸ線検出手段で検出し、かつ、被写体に対して連続する複数の撮影範囲に設定し、各撮影範囲でＸ線検出手段により検出されたＸ線を処理して分割画像データを収集し、その画像データを繋いで長尺画像データを作成するように構成したＸ線撮影装置に関する。
【背景技術】
【０００２】
この種のＸ線撮影装置としては、従来、次のようなものが知られている。
すなわち、被写体にＸ線を照射するＸ線照射装置が、天井吊り保持装置によって天井から吊って保持されている。天井吊り保持装置はＸ線照射装置を上下左右に駆動移動できるように構成されている。
Ｘ線照射装置に被写体を挟んで対向するように、被写体を透過したＸ線信号を検出する二次元の平面検出器を有するＸ線検出装置が設けられている。このＸ線検出装置が立位撮影台に上下方向に駆動移動可能に設けられている。
【０００３】
Ｘ線検出装置には、平面検出器で検出したＸ線信号を読み出して画像データを収集する画像データ収集装置と、この画像データ収集装置で収集した画像データに各種の画像処理を施して所望の画像データを得る画像処理装置とが接続されている。
【０００４】
上記構成のＸ線撮影装置において、長尺撮影を行う際には、被写体の長尺撮影範囲のほぼ中心部となる腹部の上部付近から背中にかけての胴体周囲にマーカー付きのゴム製のバンド（マーカー固定具）を巻いて平面検出器の位置決め用および画像連結用マーカーを装着する。
【０００５】
しかる後、Ｘ線照射装置内に在るＸ線照射範囲確認用投光器からの光束によって得られる光照射範囲を目視しながら、Ｘ線照射装置を上下に移動させてＸ線照射装置からの光束の中心と被写体の長尺撮影範囲の中心とが一致する位置にＸ線照射装置を配置する。その位置にＸ線照射装置を保持するとともに、マーカーを長尺撮影範囲の中心における被写体の背中の横幅内の任意の距離を有する２ヶ所、すなわち、長尺撮影範囲を分割した隣り合う撮影範囲同士の一部に設けた重複領域内に固定する。
【０００６】
次いで、Ｘ線検出装置を、その平面検出器が、被写体の関心領域の上位半分以上を撮影できる撮影範囲の位置に配置されるように移動させ、Ｘ線可動絞り装置によってＸ線照射装置のＸ線照射野を平面検出器の有効視野に制限し、その状態でＸ線を曝射して、上位半分以上の撮影を行う。
その後、Ｘ線検出装置およびＸ線照射装置を下位半分以上の撮影を行おうとする位置に移動し、その状態で、Ｘ線照射装置の照射野を狭い範囲に絞り込んでＸ線透視と同レベルのＸ線量の照射によってマーカーの撮影を行い、Ｘ線検出装置の平面検出器の上端からのマーカーの位置を画像データから演算する。
【０００７】
平面検出器の大きさとＸ線検出装置およびＸ線照射装置の移動量とが予め判っていることから、上位半分以上の撮影時におけるＸ線検出装置の平面検出器の下端からマーカーまでの長さを演算し、その値とマーカー撮影時の平面検出器の上端からのマーカーの位置とに基づいて、平面検出器の上端からマーカーまでの長さが上位半分以上の撮影時における平面検出器の下端からマーカーまでの長さに等しくなる位置にＸ線検出装置およびＸ線照射装置を移動するのに必要な移動量を演算し、その移動量の分だけＸ線検出装置およびＸ線照射装置を移動させ、平面検出器の端での歪み量が上位半分以上の撮影時と下位半分以上の撮影時とで等しくなるようにしている。
このようにして得られた上位半分以上の撮影で得られた画像データからマーカーより下の部分をトリミングし、一方、下位半分以上の撮影で得られた画像データからマーカーより上の部分をトリミングし、両画像データを繋ぎ合わせて一枚の長尺画像データを得るように構成されている（特許文献１参照）。
【特許文献１】特開２００６−１４１９０４号公報
【発明の開示】
【発明が解決しようとする課題】
【０００８】
しかしながら、従来例の場合、マーカー付きのゴム製のバンドを被写体に巻き付けるものであるため、マーカーを設けるために手間を要するとともに被写体にとって不快になる不都合がある。また、長尺撮影後の画像データにおいて、被写体にマーカーが接触して重なった状態での画像となり、読影の邪魔になり、診断能が低下する不都合があった。
【０００９】
この発明は、上述のような事情に鑑みてなされたものであって、マーカーを、読影に支障をきたさない所定の位置に容易に設けることができるようにすることを目的とする。
【課題を解決するための手段】
【００１０】
請求項１に係る発明は、上述のような目的を達成するために、次のような構成をとる。
すなわち、被写体にＸ線を照射するＸ線照射手段と、前記Ｘ線照射手段のＸ線照射口に投光可能に設けられて、前記Ｘ線照射手段のＸ線照射野を調整するコリメータと、立位スタンドまたは臥位テーブルに付設されて被写体を透過したＸ線を検出するＸ線検出手段と、
前記Ｘ線検出手段を前記立位スタンドまたは臥位テーブルに沿って駆動移動するＸ線検出手段駆動装置と、被写体に対して連続する複数の撮影範囲に設定し、各撮影範囲で前記Ｘ線検出手段により検出されたＸ線を処理して分割画像データを収集する分割画像データ収集手段と、前記分割画像データ収集手段で収集された画像データを繋いで長尺画像データを作成する長尺画像データ作成手段とを設けたＸ線撮影装置において、
長尺撮影の全領域に応じた分割撮影範囲どうしの重複領域におけるマーカーの設置位置を指定するマーカー位置指定手段を備えたことを特徴としている。
【００１１】
（作用・効果）
請求項１に係る発明のＸ線撮影装置の構成によれば、長尺撮影に際して、マーカーの設置位置を指定することができる。
したがって、指定された位置にマーカーを設置すれば良いから、従来例の、マーカー付きのゴム製のバンドを被写体に巻き付けるような場合に比べ、マーカーを設けるための手間を少なくできるとともに不快になることを回避できる。
また、被写体と重ならない位置に容易にマーカーを設置できるから、長尺撮影後の画像データにおいて、被写体とマーカーとが重なることを回避でき、読影に支障をきたすことが無く、診断能を向上できる。
【００１２】
また、請求項２に係る発明は、
請求項１に記載のＸ線撮影装置において、
マーカー位置指定手段を、投光によってマーカーの設置位置を指定するもので構成する。
投光による構成としては、例えば、プロジェクターや、Ｘ線撮影装置に備えられているコリメータランプを利用して、線状やマーカーの模様とか線や点線などを投光して設置位置を指定する構成が採用される。
【００１３】
（作用・効果）
請求項２に係る発明のＸ線撮影装置の構成によれば、投光によってマーカーの設置位置を指定するから、被写体と繋がった状態で表示できながら、被写体に重ならない位置に容易にマーカーを設置することができ、読影に支障をきたすことが無く、診断能を向上できる。
【００１４】
また、請求項３に係る発明は、
請求項２に記載のＸ線撮影装置において、
マーカー位置指定手段を、Ｘ線検出手段の受光面の前記Ｘ線検出手段の移動方向に直交する方向の両端それぞれに相当する位置で、前記Ｘ線検出手段の移動方向に直交する方向に延びる線状光によってマーカーの設置位置を指定するもので構成する。
【００１５】
（作用・効果）
請求項３に係る発明のＸ線撮影装置の構成によれば、線状光によってマーカーの設置位置を指定するから、被写体と繋がった状態で表示できながら、被写体の長軸方向でのマーカーの設置位置の精度を高くした状態で被写体に重ならない位置に容易にマーカーを設置することができ、読影に支障をきたすことが無く、診断能を一層向上できる。
【００１６】
また、請求項４に係る発明は、
請求項１に記載のＸ線撮影装置において、
マーカー位置指定手段を、Ｘ線検出手段の受光面の前記Ｘ線検出手段の移動方向に直交する方向の両端それぞれに相当する位置で、発光によってマーカーの設置位置を指定するもので構成する。
【００１７】
（作用・効果）
請求項４に係る発明のＸ線撮影装置の構成によれば、Ｘ線照射手段側に投光のための構成を設けずに済み、Ｘ線照射手段側の構成を簡略化できる。
【発明の効果】
【００１８】
請求項１に係る発明のＸ線撮影装置の構成によれば、長尺撮影に際して、マーカーの設置位置を指定することができる。
したがって、指定された位置にマーカーを設置すれば良いから、従来例の、マーカー付きのゴム製のバンドを被写体に巻き付けるような場合に比べ、マーカーを設けるための手間を少なくできるとともに不快になることを回避できる。
また、被写体と重ならない位置に容易にマーカーを設置できるから、長尺撮影後の画像データにおいて、被写体とマーカーとが重なることを回避でき、読影に支障をきたすことが無く、診断能を向上できる。
【発明を実施するための最良の形態】
【００１９】
次に、この発明のＸ線撮影装置の実施例について説明する。
【実施例１】
【００２０】
図１は、この発明に係る実施例１のＸ線撮影装置の全体側面図であり、被写体Ｈを載置する臥位テーブル１上に、Ｘ線を照射するＸ線照射手段としてのＸ線管２が設けられ、天板１の下部に、被写体Ｈを透過したＸ線を検出するＸ線検出手段としてのフラットパネル型Ｘ線検出器（ＦＰＤ）３が設けられ、Ｘ線撮影装置が構成されている。
【００２１】
Ｘ線管２のＸ線照射口には、Ｘ線管２のＸ線照射野を調整するコリメータ４が設けられている。コリメータ４には、被写体Ｈの長軸方向に間隔を隔てて対向するように第１のリーフ５と第２のリーフ６がそれぞれ独立して移動可能に設けられ、第１のリーフ５に第１のリーフ用電動モータ７が、第２のリーフ６に第２のリーフ用電動モータ８がそれぞれ連動連結され、コリメータ４の光照射野を被写体Ｈの身長方向（長軸方向）に拡大縮小できるとともに、Ｘ線管２のＸ線照射野を被写体Ｈの身長方向（長軸方向）に駆動移動できるように構成されている。
【００２２】
フラットパネル型Ｘ線検出器３は、臥位テーブル１に被写体Ｈの身長方向（長軸方向）に移動可能に設けられ、フラットパネル型Ｘ線検出器３に、それを駆動移動するＸ線検出手段用駆動装置としてのフラットパネル型Ｘ線検出器（ＦＰＤ）用電動モータ１０（図２参照）が連動連結されている。
【００２３】
フラットパネル型Ｘ線検出器３には分割画像データ収集手段１１が接続され、被写体Ｈに対して連続する複数の撮影範囲それぞれで検出されたＸ線を処理して分割画像データを収集するように構成されている。また、分割画像データ収集手段１１に長尺画像データ作成手段１２が接続され、分割画像データ収集手段１１で収集された画像データを繋いで長尺画像データを作成するように構成されている。長尺画像データ作成手段１２には表示モニタ１３が接続され、作成された長尺画像を表示できるように構成されている。
【００２４】
第１のリーフ用電動モータ７および第２のリーフ用電動モータ８それぞれには、その回転量から第１のリーフ５および第２のリーフ６それぞれの位置を検出する第１のリーフ用ポテンショメータ１４および第２のリーフ用ポテンショメータ１５が付設され、第１のリーフ５および第２のリーフ６それぞれの位置に基づいて、光照射野による被写体Ｈの身長方向の長尺撮影範囲の特定を行えるとともに、Ｘ線管２からのＸ線照射の際の照射野を特定できるように構成されている。また、第１のリーフ５および第２のリーフ６は、その対向間隔を近接してランプ光を直線状にして投光可能に構成され、直線光の投光によりマーカーの設置位置を指定可能にマーカー位置指定手段が構成されている。
【００２５】
第１のリーフ用ポテンショメータ１４および第２のリーフ用ポテンショメータ１５に登録ボタン１６が接続され、コリメータ４の光照射野を被写体Ｈの身長方向の長尺撮影全範囲にわたるように拡大した状態で、被写体Ｈの身長方向の頭部側端部撮影位置および脚部側端部撮影位置を指定する撮影領域指定手段１７（図２参照）が構成されている。図中１８は、Ｘ線管１の照射中心方向を変更するＸ線管用電動モータを示している。
【００２６】
図２の制御系のブロック図に示すように、撮影領域指定手段１７とマーカー設置ボタン１９とがコントローラ２０に接続され、そのコントローラ２０に、第１のリーフ用電動モータ７、第２のリーフ用電動モータ８、フラットパネル型Ｘ線検出器（ＦＰＤ）用電動モータ１０およびＸ線管用電動モータ１８が接続されている。
【００２７】
コントローラ２０には、撮影状況特定手段２１、フラットパネル型Ｘ線検出器（ＦＰＤ）制御手段２２、コリメータ制御手段２３およびＸ線管制御手段２４が備えられている。
撮影状況特定手段２１には、撮影回数算出手段２５、１回目撮影領域算出手段２６、２回目撮影領域算出手段２７および３回目撮影領域算出手段２８が備えられている。
また、コントローラ２０には、マーカー位置算出手段２９が備えられ、撮影回数算出手段２５に接続されている。
【００２８】
撮影回数算出手段２５では、撮影領域指定手段１７による撮影領域の指定に基づいて、フラットパネル型Ｘ線検出器３のＸ線検出領域との比較により長尺撮影に必要な撮影回数を算出するようになっている。
【００２９】
１回目撮影領域算出手段２６では、撮影回数算出手段２５で算出された撮影回数に基づき、フラットパネル型Ｘ線検出器（ＦＰＤ）制御手段２２、コリメータ制御手段２３およびＸ線管制御手段２４に制御信号を出力し、長尺撮影において最も被写体Ｈの頭部側の撮影に必要な位置にフラットパネル型Ｘ線検出器３を移動するとともに、そのＸ線検出領域にＸ線を照射するに必要な照射野が得られるようにコリメータ４およびＸ線管２を駆動するようになっている。通常、この１回目ではフラットパネル型Ｘ線検出器３の全面にＸ線を照射する。
【００３０】
２回目撮影領域算出手段２７では、撮影回数算出手段２５で算出された撮影回数に基づき、フラットパネル型Ｘ線検出器（ＦＰＤ）制御手段２２、コリメータ制御手段２３およびＸ線管制御手段２４に制御信号を出力し、長尺撮影において中間位置（２回撮影の場合は最も被写体Ｈの脚部側）の撮影に必要な位置にフラットパネル型Ｘ線検出器３を移動するとともに、そのＸ線検出領域（２回撮影の場合にはフラットパネル型Ｘ線検出器３の全面より狭い領域になる）にＸ線を照射するに必要な照射野が得られるようにコリメータ４およびＸ線管２を駆動するようになっている。
【００３１】
３回目撮影領域算出手段２８では、撮影回数算出手段２５で算出された撮影回数に基づき、フラットパネル型Ｘ線検出器（ＦＰＤ）制御手段２２、コリメータ制御手段２３およびＸ線管制御手段２４に制御信号を出力し、長尺撮影において最も被写体Ｈの脚部側の撮影に必要な位置にフラットパネル型Ｘ線検出器３を移動するとともに、そのＸ線検出領域（一般的にフラットパネル型Ｘ線検出器３の全面より狭い領域になる）にＸ線を照射するに必要な照射野が得られるようにコリメータ４およびＸ線管２を駆動するようになっている。
【００３２】
マーカー位置算出手段２９では、マーカー設置ボタン１９を操作するに伴って、撮影領域指定手段１７で指定された撮影領域と、撮影回数算出手段２５で算出された撮影回数とに基づいて、１回目と２回目、および、２回目と３回目それぞれの撮影において重複させる領域を求めるとともに、その重複領域内でマーカーを設置する位置を算出するようになっている。
【００３３】
次に、上記実施例１による撮影動作について説明する。
先ず、フラットパネル型Ｘ線検出器３上の被写体Ｈに対してコリメータ４からランプ光を照射し、第１のリーフ５および第２のリーフ６を駆動してその光照射野を拡大縮小し、図１に示すように、被写体Ｈに対応して長尺撮影に必要な撮影領域を設定し、登録ボタン１６を押すことにより、その撮影領域を指定する。
【００３４】
上記指定に伴い、フラットパネル型Ｘ線検出器３のＸ線検出領域の長さと重複領域を考慮して撮影回数（ここでは３回）が算出され、１回目、２回目および３回目それぞれでのフラットパネル型Ｘ線検出器３の位置を特定する。また、マーカー設置ボタン１９の操作に伴って第１のリーフ５および第２のリーフ６によって決まる直線光の投光位置、すなわち、マーカーの設置位置（３分割の場合は２ヶ所）それぞれを特定するとともに、Ｘ線管１のＸ線照射中心の角度と、第１のリーフ５および第２のリーフ６によって決まるＸ線照射野の角度それぞれを特定する。
【００３５】
その後、図３の動作説明に供する全体概略平面図に示すように、マーカー設置ボタン１９の操作に伴って第１のリーフ５および第２のリーフ６を変位し、順に、２つの重複領域Ａ１、Ａ２内に、マーカーの設置位置を指定する直線光Ｌ１、Ｌ２を投光し、その直線光Ｌ１、Ｌ２に基づいて臥位テーブル１の両端側の被写体Ｈに重複しない箇所それぞれに順にマーカー３０を設置する。
【００３６】
しかる後、１回目、２回目および３回目それぞれの撮影において、上述のように特定された位置にフラットパネル型Ｘ線検出器３を自動的に移動するとともに、Ｘ線管２のＸ線照射中心の角度およびＸ線照射野が特定された角度およびＸ線照射野になるように、Ｘ線管２と第１のリーフ５および第２のリーフ６を自動的に変位させ、３個の分割領域Ｂ１、Ｂ２、Ｂ３に対応する３枚の分割画像データを得るとともに、それらの分割画像データどうしを繋ぎ合わせて長尺画像データを作成する。
【００３７】
上述繋ぎ合わせ処理においては、１枚目の分割画像データのマーカー３０よりも被写体Ｈの脚部側部分と、２枚目の分割画像データのマーカー３０よりも被写体Ｈの頭部側部分それぞれをトリミングして１枚目の分割画像データと２枚目の分割画像データとを繋ぎ合わせる。同様にして、２枚目の分割画像データと３枚目の分割画像データとを繋ぎ合わせ、全体として３枚の分割画像データを繋ぎ合わせた長尺画像データを作成する。
上記実施例１では、マーカーの設置位置を指定する直線光Ｌ１、Ｌ２を投光するのに、コリメータ４を利用しているが、別途プロジェクターを用いるようにしても良い。
【実施例２】
【００３８】
図４は、この発明に係る実施例２のＸ線撮影装置の全体側面図であり、実施例１と異なるところは次の通りである。
すなわち、コリメータ４の光照射口に、フィルム支持部材４１を介して、マーカー位置指定手段として、任意の位置に描画可能で、Ｘ線を透過可能な材質のフィルム状の電子ペーパー４２が取り付けられている。電子ペーパー４２は、マーカー位置算出手段２９で算出された位置に投影可能に点線を描画し、その描画した点線を臥位テーブル１に投影し、マーカー３０の設置位置を指定するように構成されている。他の構成は実施例１と同じであり、その説明は省略する。
【００３９】
この実施例２の構成によれば、図５の動作説明に供する全体概略平面図に示すように、前述のマーカー位置算出手段２９で算出された位置（重複領域Ａ１、Ａ２）に点線光Ｄ１、Ｄ２を同時に投光して、マーカー３０の設置位置を指定し、その点線光Ｄ１、Ｄ２に基づいて臥位テーブル１の両側縁の被写体Ｈに重複しない箇所それぞれに順にマーカー３０を設置できる。
このため、実施例１のように、マーカー位置算出手段２９で算出された位置に順に個別にしか投光できない場合に比べ、マーカー３０の設置を迅速に行うことができる利点を有している。
上記実施例２による場合、投光によって表示するものは、点線に限らず、直線であっても、マーカー状の模様であっても良い。
【実施例３】
【００４０】
図６は、この発明に係る実施例３のＸ線撮影装置の要部の概略平面図であり、実施例１と異なるところは次の通りである。
すなわち、臥位テーブル１の両側縁それぞれに、マーカー位置指定手段として、長手方向に多数の発光ダイオード（ＬＥＤ）５１が付設され、マーカー位置算出手段２９で算出された位置（重複領域Ａ１、Ａ２）の発光ダイオード５１を同時に発光させ、マーカー３０の設置位置を指定するように構成されている。他の構成は実施例１と同じであり、その説明は省略する。
【００４１】
上記実施例では、臥位テーブル１を用いたＸ線撮影装置を示したが、この発明としては、立位スタンドを用いたＸ線撮影装置にも適用でき、その場合は、被写体Ｈと立位スタンドとの間に衝立を設け、その衝立にマーカー３０を設置するようにするものであれば良く、衝立に直線光や点線光を投光したり、発光ダイオードを設けるようにすれば良い。
【００４２】
上記実施例では、最大で３枚の分割画像データから長尺画像データを得る場合で説明したが、この発明としては、４枚以上の分割画像データから長尺画像データを得る場合にも適用できる。
【００４３】
上記実施例のＸ線撮影装置では、Ｘ線検出手段としてフラットパネル型Ｘ線検出器３を用いているが、この発明としては、例えば、Ｘ線フィルムを用いるものとか、Ｘ線透過像を可視光像に変換するイメージインテンシファイアを用いるものでも良い。
また、この発明は、身体全体をＸ線撮影する場合に限らず、フラットパネル型Ｘ線検出器３の移動方向でのＸ線検出領域よりも長い脚や腕などの被写体ＨをＸ線撮影する場合にも適用できる。
また、この発明としては、上記実施例のようにＸ線管２を回転するタイプに限らず、被写体Ｈの長軸方向にＸ線管２を移動可能に設けるタイプのＸ線撮影装置にも適用できる。
【図面の簡単な説明】
【００４４】
【図１】この発明に係る実施例１のＸ線撮影装置の全体側面図である。
【図２】制御系を示すブロック図である。
【図３】動作説明に供する全体概略平面図である。
【図４】この発明に係る実施例２のＸ線撮影装置の全体側面図である。
【図５】動作説明に供する全体概略平面図である。
【図６】この発明に係る実施例２のＸ線撮影装置の要部の概略平面図である。
【符号の説明】
【００４５】
１…臥位テーブル
２…Ｘ線管（Ｘ線照射手段）
３…フラットパネル型Ｘ線検出器（Ｘ線検出手段）
１０…フラットパネル型Ｘ線検出器用電動モータ（Ｘ線検出手段用駆動装置）
１１…分割画像データ収集手段
１２…長尺画像データ作成手段
３０…マーカー
４２…電子ペーパー（マーカー位置指定手段）
５１…発光ダイオード（マーカー位置指定手段）
Ｈ…被写体
【図１】
2008148836.tif 000003
【図２】
2008148836.tif 000004
【図３】
2008148836.tif 000005
【図４】
2008148836.tif 000006
【図５】
2008148836.tif 000007
【図６】
2008148836.tif 000008